【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
ジカルボン酸と、下記一般式（１）で表されるロジンジオールと、２官能のエポキシ化合物と、の重合体であるトナー用ポリエステル。
【化１】
2014080515.tif 000001
（一般式（１）中、Ｒ１およびＲ２は、それぞれ独立に、水素、またはメチル基を表す。Ｌ１、Ｌ２およびＬ３は、それぞれ独立に、カルボニル基、カルボキシル基、エーテル基、スルホニル基、置換基を有してもよい鎖状アルキレン基、置換基を有してもよい環状アルキレン基、置換基を有してもよいアリーレン基、およびそれらの組み合わせからなる群より選ばれる二価の連結基を表し、Ｌ１とＬ２またはＬ１とＬ３で環を形成してもよい。Ａ１およびＡ２はロジンエステル基を表す。）
【請求項２】
前記一般式（１）で表わされるロジンジオールは、ロジン化合物と２官能のエポキシ化合物とを２：１．０１乃至２：１．２のモル比で反応させた反応体であり、
且つ前記重合体は、前記ジカルボン酸と前記反応体とが重合されてなる請求項１に記載のトナー用ポリエステル。
【請求項３】
ジカルボン酸と、ロジン化合物と、前記ロジン化合物２ｍｏｌ当たりに対し１ｍｏｌを超える量の下記一般式（１’）で表される２官能のエポキシ化合物と、の重合体であるトナー用ポリエステル。
【化２】
2014080515.tif 000002
（一般式（１’）中、Ｒ１およびＲ２は、それぞれ独立に、水素、またはメチル基を表す。Ｌ１、Ｌ２およびＬ３は、それぞれ独立に、カルボニル基、カルボキシル基、エーテル基、スルホニル基、置換基を有してもよい鎖状アルキレン基、置換基を有してもよい環状アルキレン基、置換基を有してもよいアリーレン基、およびそれらの組み合わせからなる群より選ばれる二価の連結基を表し、Ｌ１とＬ２またはＬ１とＬ３で環を形成してもよい。）
【請求項４】
前記重合体における前記ロジン化合物と前記２官能のエポキシ化合物とのモル比が２：１．０１乃至２：１．２であり、
且つ前記重合体は、前記ロジン化合物及び前記２官能のエポキシ化合物を前記モル比で反応させた反応体と、前記ジカルボン酸と、が重合されてなる請求項３に記載のトナー用ポリエステル。
【請求項５】
重量平均分子量Ｍｗと数平均分子量Ｍｎとから求められる分子量分布（Ｍｗ／Ｍｎ）が１２以上である請求項１〜請求項４の何れか１項に記載のトナー用ポリエステル。
【請求項６】
請求項１〜請求項５の何れか１項に記載のトナー用ポリエステルを含む静電荷像現像用トナー。
【請求項７】
請求項６に記載の静電荷像現像用トナーを含む静電荷像現像剤。
【請求項８】
請求項６に記載の静電荷像現像用トナーを収納し、
画像形成装置に着脱されるトナーカートリッジ。
【請求項９】
請求項７に記載の静電荷像現像剤を収納し、
像保持体の表面に形成された静電荷像を前記静電荷像現像剤により現像してトナー像を形成する現像装置を備え、
画像形成装置に着脱されるプロセスカートリッジ。
【請求項１０】
像保持体と、
前記像保持体の表面を帯電する帯電装置と、
前記像保持体の表面に静電荷像を形成する静電荷像形成装置と、
請求項７に記載の静電荷像現像剤を収納し、前記静電荷像現像剤により前記静電荷像を現像してトナー像を形成する現像装置と、
前記トナー像を記録媒体に転写する転写装置と、
前記記録媒体に前記トナー像を定着する定着装置と、
を備える画像形成装置。
【請求項１１】
像保持体の表面を帯電する帯電工程と、
前記像保持体の表面に静電荷像を形成する静電荷像形成工程と、
請求項７に記載の静電荷像現像剤により前記静電荷像を現像してトナー像を形成する現像工程と、
前記トナー像を記録媒体に転写する転写工程と、
前記記録媒体に前記トナー像を定着する定着工程と、
を有する画像形成方法。
【手続補正２】
【補正対象書類名】明細書
【補正対象項目名】００１０
【補正方法】変更
【補正の内容】
【００１０】
請求項２に係る発明は、
前記一般式（１）で表わされるロジンジオールは、ロジン化合物と２官能のエポキシ化合物とを２：１．０１乃至２：１．２のモル比で反応させた反応体であり、
且つ前記重合体は、前記ジカルボン酸と前記反応体とが重合されてなる請求項１に記載のトナー用ポリエステルである。
請求項３に係る発明は、
ジカルボン酸と、ロジン化合物と、前記ロジン化合物２ｍｏｌ当たりに対し１ｍｏｌを超える量の後述の一般式（１’）で表される２官能のエポキシ化合物と、の重合体であるトナー用ポリエステルである。
請求項４に係る発明は、
前記重合体における前記ロジン化合物と前記２官能のエポキシ化合物とのモル比が２：１．０１乃至２：１．２であり、
且つ前記重合体は、前記ロジン化合物及び前記２官能のエポキシ化合物を前記モル比で反応させた反応体と、前記ジカルボン酸と、が重合されてなる請求項３に記載のトナー用ポリエステルである。
【手続補正３】
【補正対象書類名】明細書
【補正対象項目名】００１１
【補正方法】変更
【補正の内容】
【００１１】
請求項５に係る発明は、
重量平均分子量Ｍｗと数平均分子量Ｍｎとから求められる分子量分布（Ｍｗ／Ｍｎ）が１２以上である請求項１〜請求項４の何れか１項に記載のトナー用ポリエステルである。
【手続補正４】
【補正対象書類名】明細書
【補正対象項目名】００１２
【補正方法】変更
【補正の内容】
【００１２】
請求項６に係る発明は、
請求項１〜請求項５の何れか１項に記載のトナー用ポリエステルを含む静電荷像現像用トナーである。
【手続補正５】
【補正対象書類名】明細書
【補正対象項目名】００１３
【補正方法】変更
【補正の内容】
【００１３】
請求項７に係る発明は、
請求項６に記載の静電荷像現像用トナーを含む静電荷像現像剤である。
【手続補正６】
【補正対象書類名】明細書
【補正対象項目名】００１４
【補正方法】変更
【補正の内容】
【００１４】
請求項８に係る発明は、
請求項６に記載の静電荷像現像用トナーを収納し、
画像形成装置に着脱されるトナーカートリッジである。
【手続補正７】
【補正対象書類名】明細書
【補正対象項目名】００１５
【補正方法】変更
【補正の内容】
【００１５】
請求項９に係る発明は、
請求項７に記載の静電荷像現像剤を収納し、
像保持体の表面に形成された静電荷像を前記静電荷像現像剤により現像してトナー像を形成する現像装置を備え、
画像形成装置に着脱されるプロセスカートリッジである。
【手続補正８】
【補正対象書類名】明細書
【補正対象項目名】００１６
【補正方法】変更
【補正の内容】
【００１６】
請求項１０に係る発明は、
像保持体と、
前記像保持体の表面を帯電する帯電装置と、
前記像保持体の表面に静電荷像を形成する静電荷像形成装置と、
請求項７に記載の静電荷像現像剤を収納し、前記静電荷像現像剤により前記静電荷像を現像してトナー像を形成する現像装置と、
前記トナー像を記録媒体に転写する転写装置と、
前記記録媒体に前記トナー像を定着する定着装置と、
を備える画像形成装置である。
【手続補正９】
【補正対象書類名】明細書
【補正対象項目名】００１７
【補正方法】変更
【補正の内容】
【００１７】
請求項１１に係る発明は、
像保持体の表面を帯電する帯電工程と、
前記像保持体の表面に静電荷像を形成する静電荷像形成工程と、
請求項７に記載の静電荷像現像剤により前記静電荷像を現像してトナー像を形成する現像工程と、
前記トナー像を記録媒体に転写する転写工程と、
前記記録媒体に前記トナー像を定着する定着工程と、
を有する画像形成方法である。
【手続補正１０】
【補正対象書類名】明細書
【補正対象項目名】００１８
【補正方法】変更
【補正の内容】
【００１８】
請求項１に係る発明によれば、ジカルボン酸および一般式（１）で表されるロジンジオールのみの重合体である場合に比べて、広い定着ラチチュードが得られるトナー用ポリエステルが得られる。
請求項２に係る発明によれば、一般式（１）で表わされるロジンジオールが、ロジン化合物と２官能のエポキシ化合物とを２：１．００のモル比で反応させた反応体であり、且つ前記重合体が、前記ジカルボン酸と前記反応体とが重合されてなる場合に比べて、広い定着ラチチュードが得られるトナー用ポリエステルが得られる。
請求項５に係る発明によれば、分子量分布（Ｍｗ／Ｍｎ）が１２以上でない場合に比べて、広い定着ラチチュードが得られるトナー用ポリエステルが得られる。
【手続補正１１】
【補正対象書類名】明細書
【補正対象項目名】００１９
【補正方法】変更
【補正の内容】
【００１９】
請求項６に係る発明によれば、ジカルボン酸および一般式（１）で表されるロジンジオールのみの重合体であるポリエステルを含む場合に比べて、広い定着ラチチュードが得られる静電荷像現像用トナーが得られる。
請求項７に係る発明によれば、ジカルボン酸および一般式（１）で表されるロジンジオールのみの重合体であるポリエステルを含むトナーを含有する場合に比べて、広い定着ラチチュードが得られる静電荷像現像剤が得られる。
請求項８〜１１に係る発明によればジカルボン酸および一般式（１）で表されるロジンジオールのみの重合体であるポリエステルを含むトナーを用いる場合に比べて、定着性に優れたトナーカートリッジ、プロセスカートリッジ、画像形成装置および画像形成方法が得られる。
【手続補正１２】
【補正対象書類名】明細書
【補正対象項目名】００２２
【補正方法】変更
【補正の内容】
【００２２】
［トナー用ポリエステル］
本実施形態に係るトナー用ポリエステルは、ジカルボン酸と、下記一般式（１）で表されるロジンジオールと、２官能のエポキシ化合物と、の重合体である。
また、本実施形態に係る別の態様のトナー用ポリエステルは、ジカルボン酸と、ロジン化合物と、前記ロジン化合物２ｍｏｌ当たりに対し１ｍｏｌを超える量の下記一般式（１’）で表される２官能のエポキシ化合物と、の重合体である。
【手続補正１３】
【補正対象書類名】明細書
【補正対象項目名】００２３
【補正方法】変更
【補正の内容】
【００２３】
【化２】
2014080515.tif 000003
【手続補正１４】
【補正対象書類名】明細書
【補正対象項目名】００２４
【補正方法】変更
【補正の内容】
【００２４】
（一般式（１）中、Ｒ１およびＲ２は、それぞれ独立に、水素、またはメチル基を表す。Ｌ１、Ｌ２およびＬ３は、それぞれ独立に、カルボニル基、カルボキシル基、エーテル基、スルホニル基、置換基を有してもよい鎖状アルキレン基、置換基を有してもよい環状アルキレン基、置換基を有してもよいアリーレン基、およびそれらの組み合わせからなる群より選ばれる二価の連結基を表し、Ｌ１とＬ２またはＬ１とＬ３で環を形成してもよい。Ａ１およびＡ２はロジンエステル基を表す。
一般式（１’）中、Ｒ１およびＲ２は、それぞれ独立に、水素、またはメチル基を表す。Ｌ１、Ｌ２およびＬ３は、それぞれ独立に、カルボニル基、カルボキシル基、エーテル基、スルホニル基、置換基を有してもよい鎖状アルキレン基、置換基を有してもよい環状アルキレン基、置換基を有してもよいアリーレン基、およびそれらの組み合わせからなる群より選ばれる二価の連結基を表し、Ｌ１とＬ２またはＬ１とＬ３で環を形成してもよい。）